(57)【要約】【課題】エレベーター利用不能時に利用者による押ボタン押下を確実に阻止することができ、利用者に休止状態であることを確実に認識させることができるエレベーター押ボタン一体型位置表示器を得る。【解決手段】エレベーターの乗場壁面に設けられるエレベーター押ボタン一体型位置表示器において、乗場呼びを登録するための押ボタンを有する押ボタン部と、押ボタン部に隣接して押ボタン部が露出する通常位置と、押ボタン部の前面に重なり押ボタン部を隠蔽する押ボタン隠蔽位置との間を移動自在に設けられ、運行情報を表示する位置表示部と、位置表示部の移動を駆動する位置表示部移動駆動手段と、エレベーター利用不能時のエレベーター制御装置からの管理信号に基づいて、位置表示部移動駆動手段を駆動させて位置表示部を通常位置から押ボタン隠蔽位置へと移動させるよう制御する位置表示器制御装置と、を備える。【選択図】図３
2009249108.tif 000002
【特許請求の範囲】
【請求項１】
エレベーターの乗場壁面に設けられるエレベーター押ボタン一体型位置表示器であって、
押下されることにより乗場呼びを登録する押ボタンを有する押ボタン部と、
前記押ボタン部に隣接して前記押ボタン部が露出する通常位置と、前記押ボタン部の前面に重なり前記押ボタン部を隠蔽する押ボタン隠蔽位置との間を移動自在に設けられ、前記エレベーターの運行情報を表示する位置表示部と、
前記位置表示部の前記通常位置と前記押ボタン隠蔽位置との間の移動を駆動する位置表示部移動駆動手段と、
前記エレベーターが利用不能となる所定の条件を満たした場合にエレベーター制御装置から出力される所定の管理信号に基づいて、前記位置表示部移動駆動手段を駆動させて前記位置表示部を前記通常位置から前記押ボタン隠蔽位置へと移動させるよう制御する位置表示器制御装置と、を備えたことを特徴とするエレベーター押ボタン一体型位置表示器。
【請求項２】
前記位置表示部は、前記エレベーターが利用不能である場合にその旨を利用者に知らせる運転休止表示手段を備え、
前記位置表示器制御装置は、前記エレベーターが利用不能となる所定の条件を満たした場合にエレベーター制御装置から出力される所定の管理信号に基づいて、前記位置表示部移動駆動手段を駆動させて前記位置表示部を前記通常位置から前記押ボタン隠蔽位置へと移動させるよう制御するとともに、前記運転休止表示手段により前記エレベーターが利用不能である旨を表示するよう制御することを特徴とする請求項１に記載のエレベーター押ボタン一体型位置表示器。
【請求項３】
前記エレベーターの乗場壁に埋設され、前面が開放された箱形状を呈する位置表示器ボックスと、
前記位置表示器ボックスの開放された前記前面に覆設されたボックス表板と、を備え、
前記位置表示部移動駆動手段は、
前記ボックス表板の上下方向にわたって穿設された長孔と、
前記ボックス表板の裏側の上下方向にわたって設けられ、鋸歯状の歯を有するとともに、前記鋸歯状の歯の側を前記乗場壁側に向けるようにして配置された歯車用レールと、
前記位置表示部の表面裏側に前記乗場壁側へと突出して設けられ、前記ボックス表板の前記長孔内を通る位置に配置された連結金具と、
前記連結金具の前記乗場壁寄りに回動自在に設けられ、前記歯車用レールと歯合する歯車と、
前記連結金具に設けられ、前記歯車を回転駆動する歯車用モーターと、を有することを特徴とする請求項１又は請求項２のいずれかに記載のエレベーター押ボタン一体型位置表示器。
【請求項４】
前記ボックス表板の前記長孔に設けられ、前記位置表示部が前記押ボタン隠蔽位置へと移動した際に前記位置表示器ボックスに収められた配線や機器が外部に露出することを防止する配線カバーを備えたことを特徴とする請求項３に記載のエレベーター押ボタン一体型位置表示器。
【請求項５】
前記エレベーターの乗場壁に埋設され、前面が開放された箱形状を呈する位置表示器ボックスを備え、
前記位置表示部移動駆動手段は、
前記位置表示部の表面裏側の上下方向にわたって設けられ、鋸歯状の歯を有するとともに、前記鋸歯状の歯の側を前記乗場壁側に向けるようにして配置された歯車用レールと、
前記位置表示器ボックス内に回動自在に設けられ、前記歯車用レールに歯合する歯車と、
前記位置表示器ボックス内に設けられ、前記歯車を回転駆動する歯車用モーターと、
前記位置表示部の前記通常位置と前記押ボタン隠蔽位置との間の移動を案内する案内手段と、を有することを特徴とする請求項１又は請求項２のいずれかに記載のエレベーター押ボタン一体型位置表示器。
【請求項６】
前記押ボタン部は、前記押ボタン部表面の前記押ボタンを除く部分を覆うようしてに設けられたフェースプレートを備え、
前記案内手段は、前記位置表示部の両側面の裏側縁部に上下方向にわたって設けられたガイド溝と、前記フェースプレートの両側縁部の上下方向にわたって凸設され、前記ガイド溝と摺動自在に係合するガイド部と、を備えたことを特徴とする請求項５に記載のエレベーター押ボタン一体型位置表示器。
【請求項７】
前記案内手段は、前記位置表示部の裏側の上下方向にわたって設けられたガイド溝と、前記位置表示器ボックス内に設けられ、前記ガイド溝に摺動自在に係合するガイドピンと、を備えたことを特徴とする請求項５に記載のエレベーター押ボタン一体型位置表示器。
【発明の詳細な説明】
【技術分野】
【０００１】
この発明は、エレベーター押ボタン一体型位置表示器に関するものである。
【背景技術】
【０００２】
従来におけるエレベーター押ボタン一体型位置表示器においては、エレベーターが点検等の作業中であるため利用できない場合にその旨を利用者に知らせるため、図１１に示すように、エレベーターの運行方向を示す方向灯２ｂと、エレベーターが現在いる階床を示す階床表示灯２ｃと、押下して乗場呼びを登録するための押ボタン４と、を有する位置表示部２に、エレベーターが利用不能である際に点灯してその旨を利用者に知らせる運転休止表示灯７を備えたものが知られている。
また、エレベーターの乗場に設けられてエレベーターかごの運行状況を点灯表示する表示装置と、前記表示装置の近傍に設けられた乗場呼ボタンと、前記乗場呼ボタンの近傍に設けられた表示部材と、前記表示部材を前記表示装置の一部に重ね配置される第１の位置から前記乗場呼ボタンに重ね配置される第２の位置に移動させるための移動手段とを備え、前記表示部材は、前記移動手段を介して反転自在に取り付けられるとともに、表側に前記表示装置の一部と同一の表示文字を、裏側に作業中であることを示す作業表示文字を、それぞれ具備し、平常時には、前記第１の位置で前記表示装置の一部を覆うとともに前記表示文字を表示し、点検等の作業時には、前記第１の位置から前記第２の位置に移動する際に反転されることにより、前記第２の位置で前記乗場呼ボタンを覆うとともに前記作業表示文字を表示するように構成されたものが知られている（例えば、特許文献１参照）。
【０００３】
【特許文献１】特開平１０−１２０３１８号公報
【発明の開示】
【発明が解決しようとする課題】
【０００４】
しかしながら、前に述べたような運転表示灯を備えた従来におけるエレベーター押ボタン一体型位置表示器においては、エレベーターの運転が休止しているときでも押ボタンはそのまま露出しているため、その状態で押ボタンを押下することができてしまうという課題や、休止を知らせる休止運転表示灯の大きさが小さく利用者に認識されにくいという課題がある。このため、エレベーターが利用不能であることに気付いていない利用者が押ボタンを押下し続けてエレベーターの到着を待ち続けるおそれがあり、特に地震等の災害時においてエレベーターが利用不能になった場合には、エレベーターを使って避難する人が、既にエレベーターが利用できない状態になっていることに気付かず、エレベーターを待ち続けて避難遅れを誘発してしまうおそれがある。
【０００５】
また、特許文献１に示された従来におけるエレベーター押ボタン一体型位置表示器においては、点検作業時に表示部材を乗場呼びボタンを覆う位置に手動で移動、反転させることにより乗場呼びボタンの操作を阻止するようにしているが、この表示部材は乗場呼びボタンを覆う位置で固定されるわけではないため、利用者がこの表示部材を持ち上げて乗場呼びボタンを操作することは可能であり、乗場呼びボタンの操作を確実に阻止することができないという課題がある。
さらに、エレベーターが利用不能となった場合に、表示部材を乗場押ボタンを覆う位置へと手動で移動させる必要があるため、各階床の乗場全てにおいてこの移動を手動により行うことは非常に煩雑で手数が掛かかるとともに、エレベーターが利用不能である旨を迅速に表示することか困難であるという課題もある。この点は、特に地震等の災害時においてエレベーターが利用不能になった場合に、大きな問題となる可能性がある。
【０００６】
この発明は、前述のような課題を解決するためになされたもので、第１の目的は、エレベーターが利用不能となった場合に利用者による押ボタン押下を確実に阻止することができるとともに、利用者にエレベーターが休止状態（利用不能）であることを確実に認識させることができるエレベーター押ボタン一体型位置表示器を得るものである。
また、第２の目的は、エレベーターが利用不能となった場合にその旨の表示に際し煩雑な手数が掛かることがなく、かつ、その旨を迅速に表示することできるエレベーター押ボタン一体型位置表示器を得るものである。
【課題を解決するための手段】
【０００７】
この発明に係るエレベーター押ボタン一体型位置表示器においては、エレベーターの乗場壁面に設けられるエレベーター押ボタン一体型位置表示器であって、押下されることにより乗場呼びを登録する押ボタンを有する押ボタン部と、前記押ボタン部に隣接して前記押ボタン部が露出する通常位置と、前記押ボタン部の前面に重なり前記押ボタン部を隠蔽する押ボタン隠蔽位置との間を移動自在に設けられ、前記エレベーターの運行情報を表示する位置表示部と、前記位置表示部の前記通常位置と前記押ボタン隠蔽位置との間の移動を駆動する位置表示部移動駆動手段と、前記エレベーターが利用不能となる所定の条件を満たした場合にエレベーター制御装置から出力される所定の管理信号に基づいて、前記位置表示部移動駆動手段を駆動させて前記位置表示部を前記通常位置から前記押ボタン隠蔽位置へと移動させるよう制御する位置表示器制御装置と、を備えた構成とする。
【発明の効果】
【０００８】
この発明はエレベーター押ボタン一体型位置表示器において、エレベーターの乗場壁面に設けられるエレベーター押ボタン一体型位置表示器であって、押下されることにより乗場呼びを登録する押ボタンを有する押ボタン部と、前記押ボタン部に隣接して前記押ボタン部が露出する通常位置と、前記押ボタン部の前面に重なり前記押ボタン部を隠蔽する押ボタン隠蔽位置との間を移動自在に設けられ、前記エレベーターの運行情報を表示する位置表示部と、前記位置表示部の前記通常位置と前記押ボタン隠蔽位置との間の移動を駆動する位置表示部移動駆動手段と、前記エレベーターが利用不能となる所定の条件を満たした場合にエレベーター制御装置から出力される所定の管理信号に基づいて、前記位置表示部移動駆動手段を駆動させて前記位置表示部を前記通常位置から前記押ボタン隠蔽位置へと移動させるよう制御する位置表示器制御装置と、を備えた構成としたことで、エレベーターが利用不能となった場合に利用者による押ボタン押下を確実に阻止することができるとともに、利用者にエレベーターが利用不能であることを確実に認識させることができるという効果を奏する。
また、エレベーターが利用不能となった場合にその旨の表示に際し煩雑な手数が掛かることがなく、かつ、その旨を迅速に表示することできるという効果も併せ奏する。
【発明を実施するための最良の形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図４は、この発明の実施の形態１に関するもので、図１は押ボタン一体型位置表示器の通常時を示す正面図、図２は図１中の断面Ａ−Ａで切断した側断面図、図３は押ボタン一体型位置表示器の位置表示部で押ボタン部を隠蔽した状態を示す正面図、図４は図３中の断面Ｂ−Ｂで切断した側断面図である。
図において１はエレベーターの乗場壁面に設置された押ボタン一体型位置表示器本体で、この押ボタン一体型位置表示器本体１の上部側には位置表示部２が、下部側には押ボタン部３が配置されている。
前記位置表示部２の表面には表示パネル２ａが覆設されており、この表示パネル２ａの中央部には、エレベーターの運行方向を示す方向灯２ｂとエレベーターが現在いる階床位置を示す階床表示灯２ｃとが設けられている。
そして、前記押ボタン部３の中央部には、押下して乗場呼びを登録するための押ボタン４が設けられており、前記押ボタン部３の前記押ボタン４を除く部分はフェースプレート３ａにより覆われている。
【００１１】
前記押ボタン一体型位置表示器本体１の乗場壁側は、この乗場壁に埋設され、前面が開放された箱形状を呈する位置表示器ボックス１ａが設けられており、前記位置表示器ボックス１ａの開放された前記前面にはボックス表板１ｂが着脱自在に覆設されている。
前記ボックス表板１ｂの左右方向中央の上下方向にわたっては長孔１ｃが穿設されており、前記ボックス表板１ｂの裏側には、前記長孔１ｃの左右両側に沿うように上下方向にわたって、鋸歯状の歯を有する一対の歯車用レール５が、その歯の側を前記乗場壁側に向けるようにして取付されている。
また、前記位置表示部２の表面裏側の上部寄りには、角柱状の連結金具６ａが前記乗場壁側へと突出して設けられており、この連結金具６ａは前記ボックス表板１ｂの前記長孔１ｃ内を通る位置に配置されている。
そして、前記連結金具６ａの左右両側の前記乗場壁寄りには、一対の前記歯車用レール５にそれぞれ歯合し、歯車用モーター６ｂにより回転駆動される一対の歯車６が回動自在に設けられている。
【００１２】
このようにして、前記位置表示部２は、前記押ボタン部３の上方に隣接して前記押ボタン部３が露出する通常位置と、前記押ボタン部３の前面に重なり前記押ボタン部３を隠蔽する押ボタン隠蔽位置との間を移動自在に支持されている。
そして、前記表示パネル２ａの、前記位置表示部２が前記押ボタン隠蔽位置にあるときにおける前記押ボタン４のほぼ前面にあたる位置には、エレベーターが利用不能である際に点灯してその旨を利用者に知らせる運転休止表示灯７が設けられている。この運転休止表示灯７は、例えば「休止」の文字が点灯するようになっている。
【００１３】
また、前記位置表示器ボックス１ａ内には、位置表示器の動作を制御する位置表示器制御装置８が収めされており、この位置表示器制御装置８と、前記方向灯２ｂ、前記階床表示灯２ｃ、前記押ボタン４、前記歯車用モーター６ｂ及び前記運転休止表示灯７、並びに、エレベーターの運行全般を制御するエレベーター制御装置９とは、配線等により電気的に接続されている。
前記ボックス表板１ｂの前記長孔１ｃには、ゴムやビニール等の可撓性を有する素材からなり、その左右方向中央の上下方向にわたって切れ目が設けられた配線カバー１ｄが設けられており、前記位置表示部２が前記押ボタン隠蔽位置へと移動した際に前記位置表示器ボックス１ａに収められた配線や機器等が外部に露出することを防止している。
【００１４】
通常時、すなわち、エレベーターが利用可能であるときは、前記位置表示部２は前記通常位置にあって前記押ボタン部３は露出しており、前記押ボタン一体型位置表示器本体１は通常の動作が行われる、すなわち、前記方向灯２ｂ及び前記階床表示灯２ｃはエレベーターの現在の運行方向及び階床位置を表示し、前記押ボタン４を押下すると前記エレベーター制御装置９に乗場呼びが登録される（図１及び図２）。
エレベーターが利用不能となる所定の条件、例えば、エレベーターの点検作業時、故障等によるエレベーター使用不能時、地震等による災害管制運転時、その他エレベーター休止時等の条件、が満たされたことを検知すると、前記エレベーター制御装置９は、前記位置表示器制御装置８へと所定の管理信号を出力する。前記管理信号の入力を受けた前記位置表示器制御装置８により、前記方向灯２ｂ及び前記階床表示灯２ｃが消灯される。
次に、前記位置表示器制御装置８の制御により前記歯車用モーター６ｂが駆動し、前記歯車６が前記位置表示部２を下方へと移動させる方向に回転して、前記位置表示部２が下方へと移動する。前記位置表示部２が前記押ボタン隠蔽位置まで下降し終えて、前記押ボタン部３が隠蔽されたら、前記位置表示器制御装置８は前記歯車用モーター６ｂの駆動を停止させるとともに、前記運転休止表示灯７を点灯させる（図３及び図４）。
【００１５】
そして、前記所定の条件が満たされなくなったことを検知した前記エレベーター制御装置９は、前記位置表示器制御装置８へと解除信号を出力する。この解除信号の入力を受けた前記位置表示器制御装置８は前記歯車用モーター６ｂを駆動させ、前記歯車６が先程とは逆方向に、すなわち、前記位置表示部２を上方へと移動させる方向に回転して、前記位置表示部２が上方へと移動する。
前記位置表示部２が前記通常位置まで上昇し終えて、前記押ボタン部３が露出されたら、前記位置表示器制御装置８は前記歯車用モーター６ｂの駆動を停止させるとともに、前記運転休止表示灯７を消灯、前記方向灯２ｂ及び前記階床表示灯２ｃを点灯させて、通常時の動作へと復帰する。
【００１６】
ここで、例えば、前記所定の条件をエレベーターの点検作業時とした場合、作業担当者による操作開始により条件が満足され、前記エレベーター制御装置９は、エレベーター利用中の全ての乗客が降りた後扉を閉め、エレベーターを特定の階、例えば最上階へと移動させた後、エレベーターを休止状態とするよう制御するとともに、前記位置表示器制御装置８へと前記管理信号を出力する。
また、例えば、前記所定の条件を地震による災害管制運転時とした場合、図示しない地震計等のセンサーの検知により条件が満足され、前記エレベーター制御装置９は、エレベーターを最寄階に停止させエレベーターの扉を開けて全ての乗客を降ろした後その扉を閉めてエレベーターを休止状態とするよう制御するとともに、前記位置表示器制御装置８へと前記管理信号を出力する。
そして、いずれの場合も運転休止条件が満足されなくなった際は、エレベーターを通常運転状態に復帰するよう制御するとともに、前記位置表示器制御装置８へと前記復帰信号を出力する。
【００１７】
以上のように構成されたエレベーター押ボタン一体型位置表示器においては、所定の条件が満たされてエレベーターが利用不能となった場合に、位置表示部が下方へと移動して、押ボタン隠蔽位置において押ボタン部の前面に重なり押ボタン部を隠蔽することにより、エレベーターが利用不能となった場合に利用者による押ボタン押下を確実に阻止することができる。
また、位置表示部に設けられた運転休止表示灯は、位置表示部が押ボタン隠蔽位置にあるときに押ボタンのほぼ前面にあたる位置にくるように配置されているため、利用者が通常時であれば押ボタンがあるはずの位置において、運転休止表示灯が点灯することにより、利用者にエレベーターが休止状態（利用不能）であることを確実に認識させることができる。
さらに、この位置表示部の通常位置から押ボタン隠蔽位置への移動は、エレベーター制御装置から出力される管理信号に基づき位置表示器制御装置により自動的に行われるため、エレベーターが利用不能となった場合にその旨の表示に際し煩雑な手数が掛かることがなく、かつ、その旨を迅速に表示することできる。
【００１８】
なお、ここでは、位置表示部の表示パネルに方向灯、階床表示灯及び運転休止表示灯をそれぞれ別個に設けるようにしたが、表示パネルの中央部に例えば液晶ディスプレイからなる表示部を設け、この表示部のしかるべき位置にエレベーターの運行情報、すなわち、方向灯、階床表示灯及び運転休止表示灯の表示すべき内容を表示するようにしてもよい。
【００１９】
実施の形態２．
図５から図８は、この発明の実施の形態２に関するもので、図５は押ボタン一体型位置表示器の通常時を示す正面図、図６は図５中の断面Ｃ−Ｃで切断した側断面図、図７は押ボタン一体型位置表示器の位置表示部で押ボタン部を隠蔽した状態を示す正面図、図８は図７中の断面Ｄ−Ｄで切断した側断面図である。
前述した実施の形態１の構成においては、前記歯車６（前記連結金具６ａ及び前記歯車用モーター６ｂを含む）を前記位置表示部２に設け、この歯車６に歯合する前記歯車用レール５を前記位置表示器ボックス１ａ（の前記ボックス表板１ｂ）に設けていたが、ここで説明する実施の形態２は、これらの配置関係を入れ換えて、前記歯車６及び前記歯車用モーター６ｂを前記位置表示器ボックス１ａ内に設けるとともに、この歯車６に歯合する前記歯車用レール５を前記位置表示部２に設けるようにしたものである。
すなわち、前記位置表示部２の表面裏側の上下方向にわたって、鋸歯状の歯を有する一対の歯車用レール５が、その歯の側を前記乗場壁側に向けるようにして取付されており、前記位置表示器ボックス１ａ内には、一対の前記歯車用レール５にそれぞれ歯合し、歯車用モーター６ｂにより回転駆動される一対の歯車６が回動自在に設けられている。
前記位置表示部２の両側面の裏側縁部には上下方向にわたってガイド溝２ｄが設けられており、前記フェースプレート３ａの両側縁部の上下方向にわたっては、前記ガイド溝２ｄと摺動自在に係合するガイド部３ｂが凸設されている。
このようにして、前記位置表示部２は、前記押ボタン部３の上方に隣接して前記押ボタン部３が露出する通常位置と、前記押ボタン部３の前面に重なり前記押ボタン部３を隠蔽する押ボタン隠蔽位置との間を、前記ガイド溝２ｄと前記ガイド部３ｂとの係合により案内されて移動自在に支持されている。
ここで、前記歯車６は前記位置表示器ボックス１ａ内において、前記位置表示部２が前記通常位置にあるときには前記歯車６が前記歯車用レール５の下端付近に歯合し、前記位置表示部２が前記押ボタン隠蔽位置にあるときには前記歯車６が前記歯車用レール５の上端付近に歯合するような位置に配置されている。
なお、他の構成は実施の形態１と同様であるが、実施の形態１で設けられていた前記ボックス表板１ｂ（前記長孔１ｃ及び前記配線カバー１ｄを含む）は実施の形態２では必要がないため設けられていない。
【００２０】
このように構成された実施の形態２においても、その動作については前述した実施の形態１のものとほぼ同様である。
すなわち、通常時（エレベーターが利用可能であるとき）は、前記位置表示部２は前記通常位置にあって前記押ボタン部３は露出しており、前記押ボタン一体型位置表示器本体１は通常の動作が行われる、すなわち、前記方向灯２ｂ及び前記階床表示灯２ｃはエレベーターの現在の運行方向及び階床を表示し、前記押ボタン４を押下すると前記エレベーター制御装置９に乗場呼びが登録される（図５及び図６）。
エレベーターが利用不能となる所定の条件が満たされたことを検知すると、前記エレベーター制御装置９は、前記位置表示器制御装置８へと所定の管理信号を出力する。前記管理信号の入力を受けた前記位置表示器制御装置８により、前記方向灯２ｂ及び前記階床表示灯２ｃが消灯される。
次に、前記位置表示器制御装置８の制御により前記歯車用モーター６ｂが駆動し、前記歯車６が前記位置表示部２を下方へと移動させる方向に回転して、前記位置表示部２が前記ガイド溝２ｄと前記ガイド部３ｂとの係合により案内されて下方へと移動する。前記位置表示部２が前記押ボタン隠蔽位置まで下降し終えて、前記押ボタン部３が隠蔽されたら、前記位置表示器制御装置８は前記歯車用モーター６ｂの駆動を停止させるとともに、前記運転休止表示灯７を点灯させる（図７及び図８）。
【００２１】
そして、前記所定の条件が満たされなくなったことを検知した前記エレベーター制御装置９は、前記位置表示器制御装置８へと解除信号を出力する。この解除信号の入力を受けた前記位置表示器制御装置８は前記歯車用モーター６ｂを駆動させ、前記歯車６が先程とは逆方向に、すなわち、前記位置表示部２を上方へと移動させる方向に回転して、前記位置表示部２が前記ガイド溝２ｄと前記ガイド部３ｂとの係合により案内されて上方へと移動する。
前記位置表示部２が前記通常位置まで上昇し終えて、前記押ボタン部３が露出されたら、前記位置表示器制御装置８は前記歯車用モーター６ｂの駆動を停止させるとともに、前記運転休止表示灯７を消灯、前記方向灯２ｂ及び前記階床表示灯２ｃを点灯させて、通常時の動作へと復帰する。
【００２２】
以上のように構成されたエレベーター押ボタン一体型位置表示器においては、実施の形態１と同様の効果を奏することができるのに加えて、位置表示部の移動を駆動する歯車及び歯車用モーターを位置表示器ボックスに設けたことにより、位置表示部の移動に伴って歯車及び歯車用モーターが一緒に移動することがなく、配線等の構成を簡潔にすることができる。
【００２３】
実施の形態３．
図９及び図１０は、この発明の実施の形態３に関するもので、図９は押ボタン一体型位置表示器の通常時を示す正面図、図１０は図９中の断面Ｅ−Ｅで切断した側断面図である。
前述した実施の形態２の構成においては、前記位置表示部２は、前記位置表示部２に設けられた前記ガイド溝２ｄと前記フェースプレート３ａに設けられた前記ガイド部３ｂとの係合により案内されて移動自在に設けられていたが、ここで説明する実施の形態３は、前記ガイド部３ｂの代わりに、前記位置表示器ボックス１ａ内にガイドピン１０を設けるようにしたものである。
すなわち、前記位置表示器ボックス１ａ内には、前記位置表示部２の裏側に、上下方向にわたって設けられた一対のガイド溝２ｄに摺動自在に係合するガイドピン１０が、一つの前記ガイド溝２ｄに対して二本ずつ、計四本設けられており、他の構成は前記フェースプレート３ａに前記ガイド部３ｂが設けられていないことを除き実施の形態２と同様である。
【００２４】
このように構成された実施の形態３においても、その動作については前述した実施の形態２のものと全く同様であり、その説明は省略する。
【００２５】
以上のように構成されたエレベーター押ボタン一体型位置表示器においては、実施の形態２と同様の効果を奏することができるのに加えて、フェースプレートの構造を単純化することができ、また、位置表示部のガイド溝とフェースプレートのガイド部とを係合させる必要がなくなるため、要求される据付精度が低くなり、据付作業を容易に行うことが可能となる。
【図面の簡単な説明】
【００２６】
【図１】この発明の実施の形態１における押ボタン一体型位置表示器の通常時を示す正面図である。
【図２】この発明の実施の形態１における図１中の断面Ａ−Ａで切断した側断面図である。
【図３】この発明の実施の形態１における押ボタン一体型位置表示器の位置表示部で押ボタン部を隠蔽した状態を示す正面図である。
【図４】この発明の実施の形態１における図３中の断面Ｂ−Ｂで切断した側断面図である。
【図５】この発明の実施の形態２における押ボタン一体型位置表示器の通常時を示す正面図である。
【図６】この発明の実施の形態２における図５中の断面Ｃ−Ｃで切断した側断面図である。
【図７】この発明の実施の形態２における押ボタン一体型位置表示器の位置表示部で押ボタン部を隠蔽した状態を示す正面図である。
【図８】この発明の実施の形態２における図７中の断面Ｄ−Ｄで切断した側断面図である。
【図９】この発明の実施の形態３における押ボタン一体型位置表示器の通常時を示す正面図である。
【図１０】この発明の実施の形態３における図９中の断面Ｅ−Ｅで切断した側断面図である。
【図１１】従来における位置表示器を示す正面図である。
【符号の説明】
【００２７】
１    押ボタン一体型位置表示器本体
１ａ  位置表示器ボックス
１ｂ  ボックス表板
１ｃ  長孔
１ｄ  配線カバー
２    位置表示部
２ａ  表示パネル
２ｂ  方向灯
２ｃ  階床表示灯
２ｄ  ガイド溝
３    押ボタン部
３ａ  フェースプレート
３ｂ  ガイド部
４    押ボタン
５    歯車用レール
６    歯車
６ａ  連結金具
６ｂ  歯車用モーター
７    運転休止表示灯
８    位置表示器制御装置
９    エレベーター制御装置
１０    ガイドピン
【図１】
2009249108.tif 000003
【図２】
2009249108.tif 000004
【図３】
2009249108.tif 000005
【図４】
2009249108.tif 000006
【図５】
2009249108.tif 000007
【図６】
2009249108.tif 000008
【図７】
2009249108.tif 000009
【図８】
2009249108.tif 000010
【図９】
2009249108.tif 000011
【図１０】
2009249108.tif 000012
【図１１】
2009249108.tif 000013